(57)【特許請求の範囲】
【請求項１】
ケーシング上面略中央に回路の開閉操作をする操作ハンドルを配置し、該操作ハンドルの操作方向であるケーシング前後端部に電源接続端子或いは負荷接続端子を設け、ケーシング内に固定接点及び可動接点と、回路の短絡を検知して引き外し動作をする電磁引き外し装置と、引き外し時の発生アークを限流する消弧装置と、固定接点と可動接点との開閉動作を行う開閉機構部とを具備した配線用遮断器であって、
上部に前記消弧装置を配置し、その下方に前記固定接点を配置し、その双方に隣接する左右何れかに前記電磁引き外し装置を上下方向に引き外し動作するよう配置し、消弧装置と固定接点と電磁引き外し装置と、更に電源接続端子の少なくとも端子座とを連結部材を介して一体化し、前記ケーシング内に組み付けたことを特徴とする配線用遮断器。
【発明の詳細な説明】
【０００１】
【発明の属する技術分野】
本発明は、負荷短絡保護を目的とする配線用遮断器であって、特にその組立工程を簡素化する技術に関する。
【０００２】
【従来の技術】
小さな短絡電流（１００Ａ〜２００Ａ）で瞬時引き外し動作する配線用遮断器で、短絡遮断時に発生するアークエネルギーを分割、限流する機能を有するものは、従来は例えば実開昭５７−７８５５６号公報に記載されているように、短絡を検知して瞬時引き外し動作を行う電磁コイル、接点を引き外した際に発生するアークエネルギーを限流する消弧装置、及び電源側接点である固定接点部等は、独立して樹脂成形により形成されたケーシング基台に組み付けられ、ねじ止め等で固定され取り付けられていた。
【０００３】
【発明が解決しようとする課題】
このように、従来の配線用遮断器は、独立した部品を個々に取り付けるため、組立が複雑であり製造ラインも専用化されていたし、夫々の部品に組み付け誤差が生じ、それが性能ばらつきの要因となっていた。
そこで本発明は、組立を簡略化すると共に、組み付け誤差を削減可能な配線用遮断器を提供することを課題とする。
【０００４】
【課題を解決するための手段】
上記課題を解決するため、請求項１の発明は、ケーシング上面略中央に回路の開閉操作をする操作ハンドルを配置し、該操作ハンドルの操作方向であるケーシング前後端部に電源接続端子或いは負荷接続端子を設け、ケーシング内に固定接点及び可動接点と、回路の短絡を検知して引き外し動作をする電磁引き外し装置と、引き外し時の発生アークを限流する消弧装置と、固定接点と可動接点との開閉動作を行う開閉機構部とを具備した配線用遮断器であって、上部に前記消弧装置を配置し、その下方に前記固定接点を配置し、その双方に隣接する左右何れかに前記電磁引き外し装置を上下方向に引き外し動作するよう配置し、消弧装置と固定接点と電磁引き外し装置と、更に電源接続端子の少なくとも端子座とを連結部材を介して一体化し、前記ケーシング内に組み付けたことを特徴とする。
【０００６】
【発明の実施の形態】
以下、本発明を具体化した実施の形態を、図面を基に詳細に説明する。図１は本発明に係る配線遮断器の要部である一体化した装置の斜視図を示し、図２はその分解図、図３は組立途中を示している。
【０００７】
図１において、１は電磁引き外し装置、２は消弧装置、３は固定接点、４は電源接続端子であり、これらは連結部材５に組み付けて一体化され、ユニット化されている。連結部材５は樹脂成形により形成され、上部にアーク消弧室６、その下方に電源側導体装着部７及び固定接点装着部８を有し、これらに隣接する位置に電磁引き外し装置１の装着部９を設けてある。
【０００８】
アーク消弧室６は上下方向に貫通した四角形枠体で、内部に板状の消弧グリッド１１を装着する複数の縦溝６ａが形成されている。また、電源側導体装着部７と固定接点装着部８とは前後方向に隣接して設けられ、電源側導体装着部７は上下方向から電流導体を挟み込むよう横方向に突出した２本の突起体として形成され、固定接点装着部８は固定接点座３ａを載置し係止する突起片となっている。
【０００９】
また、電源側導体１２は、略Ｌ字状に形成された金属片で形成され、一端に電源接続端子４を構成する端子座１２ａを有し、他端に電磁引き外し装置１の引き外しコイル１３の一端に接続する接続孔１２ｂが形成されている。そして、段部を有するコーナ部が装着部７に挾持される。
固定接点３は、コ字状に折り曲げた金属片１４の一方を固定接点座１４ａとして形成し、接点となる突起片１５が設けられている。金属片１４の他方には横方向に突出辺１４ｂが形成され、引き外しコイル１３の他端を接続する接続孔１４ｃが設けられている。
【００１０】
一方、連結部材５の電磁引き外し装置装着部９は、電磁引き外し装置１の継鉄１７を装着するよう形成され、上方から継鉄１７を挿入し係止する挿入溝１８を設け、継鉄の背部には幅広に形成した係止部１７ａを設けてある。尚、図２、図３において、１９は引き外しコイルに挿入するボビン、２２はプランジャー、２３はスプリングであり、２０は電源側接続端子を構成する角端子である。
【００１１】
次に各部材の組み付け手順を説明する。先ず、アーク消弧室６に上方から消弧グリッド１１及び走向板２１を挿入して、消弧装置２を完成させる。消弧グリッド１１及び走向板２１は双方とも側部に係止段部１１ａ，２１ａを有し挿入後所定位置でアーク消弧室内に係止し保持される。
そして、電源側導体１２、及び固定接点３を有する金属片１４をそれぞれ組み付け、ボビン１９と引き外しコイル１３とを継鉄１７に組み付け、更にスプリング２４、プランジャー２２を組み付けて形成した電磁引き外し装置１を、継鉄１７に形成した係止部１７ａを連結部材５の挿入溝１８に挿入することで、連結部材５に組み付ける。そして、この時、引き外しコイル１３の両端をそれぞれ電源側導体１２に設けた接続孔１２ｂ及び金属片１４の突出片１４ｂに形成した接続孔１４ｃに挿入させる。
【００１２】
このように電磁引き外し装置と消弧装置と固定接点と電源接続端子とを一体に形成してユニット化することで、遮断器を組み立てる際、これらの部材を一気に組み付けることができ、組立の簡素化を図ることができる。そして、各部材を独立してケーシング内に組み付ける方式に比べ、組み付け誤差を小さくできる。尚、接続端子が上述するねじ式でなく、例えば速結端子の場合は、接続端子全体でなく端子座のみを一体化すればよい。
【００１３】
図４〜図６は上記ユニット化した装置を組み込んだ配線遮断器を示している。図４は縦断面説明図、図５は上部ケーシングであるカバーを外した状態の横断面説明図、図６はカバーを外した平面図およびプランジャー動作部の説明図を示し、図において、２５は操作ハンドル、２６は負荷接続端子、２７は可動接点であり、ケーシング２４内にユニット化した電磁引き外し装置１、消弧装置２、固定接点３、電源接続端子４を組んだ様子を示している。また、２８は引き外しアームであり、操作ハンドル２５と同一の軸を中心に回転し、電磁引き外し装置１のプランジャー２２の動作を開閉機構部の掛合片２９へ伝える。尚、図４、図５では連結部材は省略してある。
【００１４】
このように、消弧装置と固定接点とを上下方向に配置し、この双方に隣接するケーシングの略中央位置に電磁引き外し装置を上下方向に引き外し動作をするように連結部材により一体化することで、ユニット化した装置を小型に形成でき、操作ハンドル下部に形成された開閉機構部と電源接続端子部との間にユニットを設置することが可能となる。また、こうすることで、従来の配線用遮断器との部品の共用、及び製造ラインの共用化も可能となり、安価に作成することも可能となる。
【００１５】
図７はユニット化した装置の他の形態を示し、左右２個の電源接続端子４，４を含む構成を一体化ている。連結部材３０は、左右にアーク消弧室６，６、固定接点装着部８，８、電源側導体装着部７，７をそれぞれ有し、図示右側のアーク消弧室壁面に、電磁引き外し装置１を装着する装着部９を設け、左右のアーク消弧室６，６の間に１個の電磁引き外し装置１を設置している。そして、この電磁引き外し装置１は図示右側の電源側導体１２及び固定接点３に接続されている。このように左右の部材を一体化し、ユニット化すれば、更に組立の簡素化を図ることができる。
【００１６】
【発明の効果】
以上詳述したように、請求項１の発明によれば、電磁引き外し装置と消弧装置と固定接点と電源接続端子とを一体化し、ユニット化したので、組立の簡素化を図ることができるし、各部材を独立してケーシング内に組み付ける方式に比べ、組み付け誤差を小さくできる。
【００１７】
そして、ユニット化した装置を小型に形成でき、操作ハンドル下部に形成された開閉機構部と電源接続端子との間に設置することが可能となり、そうすることで従来の配線用遮断器との部品の共用、及び製造ラインの共用が可能となる。
【図面の簡単な説明】
【図１】本発明に係る配線遮断器の要部を示し、一体化してユニット化した装置の斜視図である。
【図２】図１の分解斜視図である。
【図３】図１の組立の途中を示す斜視図である。
【図４】図１のユニット化した装置を組み込んだ配線遮断器の縦断面説明図である。
【図５】図４のカバーを外した状態の側面説明図である。
【図６】図４のカバーを外した状態の平面説明図を（ａ）に示し、（ｂ）はプランジャーの作動により、アーム及び掛合片の動作を示す斜視説明図である。
【図７】ユニット化した装置の他の形態を示す斜視図である。
【符号の説明】
１・・電磁引き外し装置、２・・消弧装置、３・・固定接点、４・・電源接続端子、５・・連結部材、６・・アーク消弧室、７・・電源側導体装着部、８・・固定接点装着部、９・・電磁引き外し装置装着部、１２・・電源側導体、１２ａ・・端子座、１３・・引き外しコイル、１７・・継鉄、１８・・挿入溝、２４・・ケーシング、２５・・操作ハンドル、２６・・負荷接続端子、２７・・可動接点、３０・・連結部材。
【図１】
0003958476.tif 000002
【図２】
0003958476.tif 000003
【図３】
0003958476.tif 000004
【図４】
0003958476.tif 000005
【図５】
0003958476.tif 000006
【図６】
0003958476.tif 000007
【図７】
0003958476.tif 000008